(57)【要約】【課題】カメラ付き携帯電話等の携帯端末装置において、簡易な構成により撮影時における携帯端末装置のホールド性を向上する。【解決手段】カメラ１１および液晶モニタ１２を有する第１のユニット１と、操作ボタン群２１を有する第２のユニット２とをヒンジ部材３により回動自在に連結する。第１のユニット１が操作ボタン群２１の直上に液晶モニタ１２が位置する第１の位置にある場合にはカメラ付き携帯電話１０は通信モードに切り替わる。第１のユニット１が第１の位置から９０度回転した第２の位置にある場合には、カメラ付き携帯電話１０は撮影モードに切り替わる。第１のユニット１が第２の位置にあると、両手でカメラ付き携帯電話１０を把持できるため、カメラ付き携帯電話１０のホールド性が向上し、撮影時の手ぶれを防止できる。【選択図】          図３
2004180212.tif 000002
【特許請求の範囲】
【請求項１】
撮影により画像データを取得する撮像手段と、該撮像手段が撮影する側とは反対側を向くように前記画像データを表示する表示手段とを有する第１のユニット、
前記反対側に向けて配設された複数の操作ボタンからなる操作ボタン群を有する第２のユニット、および
前記第２のユニットを把持した時に、前記表示手段が前記操作ボタン群の直上に位置する第１の位置と、前記表示手段が前記操作ボタン群の直上からずれて位置する第２の位置との間を、前記表示手段と前記操作ボタン群とが同一方向を向きつつ、前記第１のユニットが前記第２のユニットに対して移動可能に、前記第１のユニットおよび前記第２のユニットを連結する連結手段とを備えたことを特徴とする携帯端末装置。
【請求項２】
使用時のモードを、通信モードおよび撮影モードに切り替える切替手段をさらに備えたことを特徴とする請求項１記載の携帯端末装置。
【請求項３】
前記切替手段は、前記第１のユニットが前記第１の位置に移動した場合は通信モードに、前記第１のユニットが前記第２の位置に移動した場合は撮影モードに使用時のモードを切り替える手段であることを特徴とする請求項２記載の携帯端末装置。
【請求項４】
前記第２のユニットにおける、前記第１のユニットが前記第１の位置に移動した場合に該第１のユニットにより隠蔽される位置に、前記撮影モードにおいて使用する撮影操作手段を設けたことを特徴とする請求項３記載の携帯端末装置。
【請求項５】
前記連結手段は、前記第１のユニットおよび前記第２のユニットを回動自在に連結する手段であることを特徴とする請求項１から４のいずれか１項記載の携帯端末装置。
【請求項６】
前記第１のユニットが前記第１の位置に移動した場合と前記第２の位置に移動した場合とで、該表示手段の表示方向を切り替える表示制御手段をさらに備えたことを特徴とする請求項５記載の携帯端末装置。
【発明の詳細な説明】
【０００１】
【発明の属する技術分野】
本発明は、撮像手段により画像データを取得可能なカメラ付き携帯電話等の携帯端末装置に関する。
【０００２】
【従来の技術】
近年、携帯電話の多機能化が進み、撮影により画像データを取得するカメラを備えたカメラ付きの携帯電話が普及しつつある。このようなカメラ付き携帯電話を使用することにより、撮影により取得した自分の好みの画像データを携帯電話の待ち受け画面に設定したり、撮影により取得した画像データを電子メールに添付して友人に送信することができる。
【０００３】
ところで、デジタルカメラや銀塩カメラ等の撮影に特化したカメラは、ホールド性を向上させて撮影時の手ぶれを無くすために主に横長形状をなしているものが多い。これに対してカメラ付きの携帯電話は、縦長に構えて片手で操作ボタン群を使用したり、通話を行うことを想定して、カメラ付きの携帯電話を把持した状態において、操作ボタン群の直上に液晶モニタが位置するように構成されている。したがって、撮影時においては、カメラ付き携帯電話を両手で把持しにくく、片手でレリーズ動作を行う必要があることから、デジタルカメラや銀塩カメラと比較して手ぶれが生じやすい。
【０００４】
このため、携帯電話を収納するホルダを用意し、撮影時には携帯電話をホルダに収納させて携帯電話を横長に構えることにより、ホールド性を向上させる方法が提案されている（特許文献１参照）。
【０００５】
また、カメラを外付けとし、撮影時にはカメラを回転させることにより、所望とする方向にカメラを向けて撮影を行いやすくした携帯電話が提案されている（特許文献２参照）。また、外付けではないもののカメラを所望とする方向に向けることが可能な携帯電話も提案されている（特許文献３参照）。
【０００６】
また、携帯電話の本体とカメラとを可動ロッドで接続するとともに、携帯電話にカメラを収容可能とし、撮影時には収容されたカメラを本体から取り出して、所望とする撮影方向にカメラを向けることが可能なようにした携帯電話が提案されている（特許文献４参照）。
【０００７】
【特許文献１】
特開２００２−６２５７８号公報
【０００８】
【特許文献２】
特開２００１−２４５２６６号公報
【０００９】
【特許文献３】
特開２００１−１０２８２５号公報
【００１０】
【特許文献４】
特開２０００−７８５４９号公報
【００１１】
【発明が解決しようとする課題】
しかしながら、上記特許文献１に記載の方法では、携帯電話とともにホルダを携帯する必要があるため、ホルダを携帯していないと携帯電話のホールド性を向上できない。また、特許文献２〜４に記載の携帯電話は、所望とする方向にカメラを向けることができるものの、撮影時には携帯電話を片手で把持して縦長に構える必要があるため、やはり携帯電話のホールド性を向上できない。
【００１２】
本発明は上記事情に鑑みなされたものであり、カメラ付き携帯電話等の携帯端末装置の撮影時における携帯端末装置のホールド性を簡易な構成により向上することを目的とする。
【００１３】
【課題を解決するための手段】
本発明による携帯端末装置は、撮影により画像データを取得する撮像手段と、該撮像手段が撮影する側とは反対側を向くように前記画像データを表示する表示手段とを有する第１のユニット、
前記反対側すなわち前記表示手段が前記画像データを表示する側に向けて配設された複数の操作ボタンからなる操作ボタン群を有する第２のユニット、および前記第２のユニットを把持した時に、前記表示手段が前記操作ボタン群の直上に位置する第１の位置と、前記表示手段が前記操作ボタン群の直上からずれて位置する第２の位置との間を、前記表示手段と前記操作ボタン群とが同一方向を向きつつ、前記第１のユニットが前記第２のユニットに対して移動可能に、前記第１のユニットおよび前記第２のユニットを連結する連結手段とを備えたことを特徴とするものである。
【００１４】
「操作ボタン群」とは、テンキー、通話開始ボタン、通話切断ボタン、十字キー等の携帯電話に用いられているように、数字や文字等が記載された複数の操作ボタンを２次元状に配列したものを用いることができるが、１次元状に配列したもの等これに限定されるものではない。なお、「操作ボタン群」は数字や文字が記載された部分を表示手段が画像データを表示する側に向けて第２のユニットに配設される。
【００１５】
「第２のユニットを把持した時」とは、携帯端末装置を使用するために、第２のユニットを片手で把持して、把持した側の手により操作ボタン群を操作可能な状態となった時をいう。具体的には、操作ボタン群を構成する操作ボタンに数字や文字が記載されている場合には、それを正視して読むことができるように第２のユニットを把持した時をいう。したがって、意図的に操作ボタン群を使いにくい方に向けて第２のユニットを把持する場合は含まれないものである。
【００１６】
「第１の位置」とは、第２のユニットを把持した状態において操作ボタン群の直上に表示手段が位置し、第１のユニットと第２のユニットとが略一直線上に並んだ状態となる位置をいう。
【００１７】
「第２の位置」とは、第２のユニットを把持した状態において操作ボタン群の直上からずれた位置に表示手段が位置し、第１のユニットが第１の位置にある場合に第１のユニットが存在する空間から、第１のユニットがはみ出している状態となる位置をいう。
【００１８】
「連結手段」は、第１のユニットを第１および第２の位置の間で、表示手段と操作ボタン群とが同一方向を向きつつ移動可能に第１のユニットと第２のユニットとを連結するものであればあらゆる機械的な結合部材を用いることができ、例えば、第１および第２のユニットを摺動自在に連結するスライドレール、または回動自在に連結するヒンジ部材、蝶番およびユニバーサルジョイント等を用いることができる。なお、「同一方向を向きつつ移動する」とは、操作ボタン群が表示手段が画像データを表示する側を向いた状態を保持しつつ移動することをいう。
【００１９】
なお、本発明による携帯端末装置においては、使用時のモードを、通話やメールの送受信を行う通信モードおよび撮像手段を用いて撮影を行う撮影モードに切り替える切替手段をさらに備えるものとしてもよい。
【００２０】
「通信モード」および「撮影モード」は完全に切り替わるものでなくてもよく、通信モード時に撮影モードの機能を利用できるようにしてもよく、撮影モード時に通信モードの機能を利用できるようにしてもよい。
【００２１】
また、本発明による携帯端末装置においては、前記切替手段を、前記第１のユニットが前記第１の位置に移動した場合は通信モードに、前記第１のユニットが前記第２の位置に移動した場合は撮影モードに使用時のモードを切り替える手段としてもよい。
【００２２】
また、本発明による携帯端末装置においては、前記第２のユニットにおける、前記第１のユニットが前記第１の位置に移動した場合に該第１のユニットにより隠蔽される位置に、前記撮影モードにおいて使用する撮影操作手段を設けてもよい。
【００２３】
「撮影操作手段」とは、撮影時にのみ使用される操作ボタン、キー、ダイヤル等を意味し、具体的にはレリーズボタン、ストロボのオン・オフを設定するストロボボタン、ポートレート撮影、夜間撮影等のモード切替ダイヤル等、撮影のための設定を行う種々の手段を撮影操作手段として用いることができる。
【００２４】
また、本発明による携帯端末装置においては、前記連結手段を、前記第１のユニットおよび前記第２のユニットを回動自在に連結する手段としてもよい。
【００２５】
この場合、前記第１のユニットが前記第１の位置に移動した場合と前記第２の位置に移動した場合とで、該表示手段の表示方向を切り替える表示制御手段をさらに備えるようにしてもよい。
【００２６】
「表示手段の表示方向を切り替える」とは、第１のユニットが第１および第２の位置のいずれにあっても、表示手段に表示される文字や記号が正視可能なようにすることをいう。なお、撮像手段により撮影される画像データも表示手段に表示されるが、第１のユニットの位置に拘わらず、撮影した画像がそのまま表示手段に表示される。
【００２７】
【発明の効果】
本発明によれば、第２のユニットを把持した時に、表示手段が操作ボタン群の直上に位置する第１の位置と、表示手段が操作ボタン群の直上からずれて位置する第２の位置とに、第１のユニットを第２のユニットに対して移動することができる。ここで、第１のユニットが第１の位置に移動した場合は、携帯端末装置は片手で把持した方が操作しやすいが、第１のユニットが第２の位置に移動した場合には、第１のユニットは、第１のユニットが第１の位置にあった場合の空間からはみ出しているため、片手で把持するよりも第２のユニットを片手で把持しつつ、第２のユニットを把持した手とは反対側の手により第１のユニットを把持した方が携帯端末装置を操作しやすくなる。この場合、両手で携帯端末装置を把持しているため、携帯端末装置のホールド性を向上させることができる。したがって、第１のユニットを第２の位置に移動させて撮像手段により撮影を行うようにすれば、携帯端末装置のホールド性が向上するため、撮影時における手ぶれを防止することができる。
【００２８】
また、使用時のモードを、通信モードおよび撮影モードに切り替える切替手段を設けることにより、第１のユニットが第１の位置にある場合には使用時のモードを通信モードに切り替えれば、携帯端末装置を片手で把持して電話番号や文字を入力したり、通話を行いやすくすることができる。逆に、第１のユニットが第２の位置にある場合には使用時のモードを撮影モードに切り替えれば、携帯端末装置を両手で把持して撮影を行いやすくすることができる。
【００２９】
また、第１のユニットが第１の位置に移動した場合に使用時のモードを通信モードに、第１のユニットが第２の位置に移動した場合に使用時のモードを撮影モードに切り替えるようにすれば、第１のユニットを移動させるのみで、第１のユニットの位置に適した使用しやすいモードに携帯端末装置のモードを切り替えることができる。これにより、携帯端末装置のユーザはマニュアル操作により使用時のモードを切り替える必要がなくなるため、携帯端末装置の操作性を向上できる。
【００３０】
この場合、第２のユニットにおける、第１のユニットが第１の位置に移動した場合に第１のユニットに隠蔽される位置に、撮影モードにおいて使用する撮影操作手段を設けることにより、第１のユニットが第２の位置に移動した場合に撮影操作手段が出現して撮影操作手段の操作が可能となる。したがって、携帯端末装置のユーザに、撮影モードに切り替わったことを容易に認識させることができる。また、第２のユニットを把持した手により操作しやすい位置に撮影操作手段を設けることができるため、撮影モード時における携帯端末装置の操作性を向上させることができる。
【００３１】
また、第１のユニットと第２のユニットとを回動自在に連結することにより、第１のユニットを第２のユニットに対して回動させるという簡単な動作により、第１のユニットを第１および第２の位置に移動させることができる。
【００３２】
この場合、第１のユニットが第１の位置に移動した場合と第２の位置に移動した場合とで、表示制御手段により表示手段の表示方向を切り替えるようにすれば、第１のユニットの位置に拘わらず、表示手段に表示される文字や記号を正視させることができ、これにより、携帯端末装置を傾けなくても表示手段に表示される文字や記号を読むことができる。
【００３３】
【発明の実施の形態】
以下図面を参照して本発明の実施形態について説明する。図１は本発明の実施形態によるカメラ付き携帯電話の外観を示す正面図、図２は背面図である。図１および図２に示すように、カメラ付き携帯電話１０は、略扁平な直方体状に形成された第１のユニット１および第２のユニット２からなる。なお、略扁平な直方体状とは、完全な直方体ではなく直方体に近い形状を意味し、カメラ付き携帯電話１０のデザイン性、機能性および把持のしやすさ等を向上させるための曲面、凹凸、アンテナ等の突起物、飾り等を含むものである。
【００３４】
第１のユニット１の背面にはカメラ１１が設けられている。また、正面にはカメラ１１が撮影した画像、電話番号、文字、操作モード等を表示する液晶モニタ１２と、通話時に音声を出力するスピーカ１３とが設けられている。
【００３５】
第２のユニット２の正面にはテンキー、通話開始ボタン、通話切断ボタン、十字キー等の複数の操作ボタンからなる操作ボタン群２１と、通話時に音声を入力するマイク２２とが設けられ、その側面には、カメラ１１が取得した画像データを記録するためのメモリカード２０を装填するカードインターフェース２３が設けられている。
【００３６】
また、第１のユニット１および第２のユニット２は、操作ボタン群２１の直上に液晶モニタ１２を位置せしめた場合に、第１のユニット１および第２のユニット２の互いに対向する面１Ａ，２Ａにおける一方の短辺側において、ヒンジ部材３により略９０度の範囲で回動自在に連結されている。
【００３７】
また、第１のユニット１および第２のユニット２が対向する面１Ａ，２Ａ上において、ヒンジ部材３が設けられた側とは反対側の短辺の近傍には、第１のユニット１および第２のユニット２を固定する留め具４が設けられている。
【００３８】
このため、本実施形態によるカメラ付き携帯電話１０は、第１のユニット１が第２のユニット２に対して図１および図２に示す第１の位置と、図３に示すように液晶モニタ１２を正面側に向けた状態において、第１のユニット１を第１の位置から図示反時計回り方向に略９０度回動させた第２の位置との間を回動可能とされている。
【００３９】
なお、第２のユニット２には、面２Ａ上にレリーズボタン２１Ａが設けられている。レリーズボタン２１Ａは、第１のユニット１が第１の位置にある場合には第１のユニット１により隠蔽されているが、第１のユニット１が第２の位置にある場合に出現して操作可能となる。
【００４０】
ここで、第１のユニット１が第１の位置に移動した場合には、カメラ付き携帯電話１０は片手で把持した方が操作がしやすいが、第１のユニット１が第２の位置に移動すると、第１のユニット１は、第１のユニット１が第１の位置にあった場合の空間からはみ出しているため、片手で把持するよりも第２のユニット２を片手で把持しつつ、第２のユニット２を把持した手（右手）とは反対側の手（左手）により第１のユニット１の把持部（図３の斜線部分）を把持した方が、カメラ付き携帯電話１０を操作しやすくなる。また、第１のユニット１を第２の位置に移動した場合、両手でカメラ付き携帯電話１０を把持することとなるため、カメラ付き携帯電話１０のホールド性が向上し、これにより、撮影時における手ぶれを防止できる。
【００４１】
図４は、本実施形態によるカメラ付き携帯電話１０の内部構成を示す概略ブロック図である。図４に示すように、第１のユニット１は、上述したカメラ１１と、液晶モニタ１２と、スピーカ１３と、カメラ１１により取得された画像データに画像処理を施すデータ処理部１４と、液晶モニタ１２の表示制御を行う表示制御部１５と、表示のために画像データを一時的に記憶するフレームメモリ１６と、第１のユニット１の制御を行う制御部１７と、第１のユニット１と第２のユニット２とを接続するためのコネクタ１８とを備える。
【００４２】
カメラ１１は、撮影レンズ、ズーム機構、シャッタおよびＣＣＤ等を有し、シャッタの駆動により被写体を撮影して被写体の画像を表す画像データを得る撮像部１１Ａと、撮像部１１Ａを構成する撮影レンズおよびズーム機構からなる光学系を制御する光学系制御部１１Ｂと、シャッタおよびＣＣＤを制御する撮像制御部１１Ｃとを備える。
【００４３】
第２のユニット２は、上述した操作ボタン群２１と、マイク２２と、カードインターフェース２３と、通信部２４と、種々のデータを記憶するメモリ２５と、電源２６と、第１のユニット１の回動位置を検出する検出部２７と、第２のユニット２の制御を行う制御部２８と、第１のユニット１と第２のユニット２とを接続するためのコネクタ２９と、カードインターフェース２３の駆動を制御するカード制御部３０とを備える。
【００４４】
通信部２４は、ＲＦアンテナ２４Ａと、ＲＦ送受信部２４Ｂと、通信制御部２４Ｃとを備える。
【００４５】
コネクタ１８とコネクタ２９とはヒンジ部材３に設けられており、第１のユニット１が回動しても、第１のユニット１と第２のユニット２との電気的な接続状態が保持できるようにフレキシブル基板等により電気的に接続されている。
【００４６】
また、ヒンジ部材３は、第１のユニット１が第１の位置に移動したことおよび第２の位置に移動したことを検出するスイッチも兼用してなる。スイッチは電気的に第１のユニット１の回動位置を検出するものであってもよく、ラチェットのように機械的に第１のユニット１の回動位置を検出するものであってもよい。
【００４７】
検出部２７は、ヒンジ部材３に設けられたスイッチにより、第１のユニット１が第１の位置に移動したか第２の位置に移動したかを判定する。そして、判定結果を第１のユニット１の制御部１７および第２のユニット２の制御部２８に出力する。
【００４８】
制御部１７，２８は、検出部２７から入力された判定結果に応じて、通信モードおよび撮影モードにカメラ付き携帯電話１０のモードを切り替える。すなわち、第１のユニット１が第１の位置に移動した場合には、カメラ付き携帯電話１０を片手で把持して通話やメールの送受信を行う通信モードに切り替え、第１のユニット１が第２の位置に移動した場合には、カメラ付き携帯電話１０を両手で把持して撮影を行う撮影モードに切り替える。
【００４９】
通信モード時には、第２のユニット２の操作ボタン群２１は通信に適した機能が割り当てられ、第１のユニット１のカメラ１１の駆動は停止し、液晶モニタ１２には、例えば操作ボタン群２１から入力した文字や電話番号、電波の状態、時間等通信に必要な事項が表示される。
【００５０】
撮影モード時には、第２のユニット２の操作ボタン群２１は撮影に適した機能が割り当てられ、第１のユニット１のカメラ１１が駆動し、液晶モニタ１２にはカメラ１１が取得した画像および撮影条件等が表示される。さらに、通信モード時には第１のユニット１に隠蔽されているレリーズボタン２１Ａが第２のユニット２の面２Ａに現れるため、レリーズボタン２１Ａによりレリーズ動作を行うことが可能となる。なお、レリーズボタン２１Ａは、撮影モード時において右手で第２のユニット２を把持した際に、人差し指にて操作が容易な位置に設けられる。
【００５１】
そして、レリーズボタン２１Ａを用いてレリーズ動作を行うことによりカメラ１１により被写体が撮影されて画像データが取得される。取得された画像データはデータ処理部１４により画像処理が施されて液晶モニタ１２に表示されるとともに、カードインターフェース２３を介してメモリカード２０に保存される。
【００５２】
なお、第１のユニット１が第１の位置に移動した場合における文字の表示形態のまま第１のユニット１を第２の位置に移動すると、文字が横向きになって読みにくくなる。このため、表示制御部１５は通信モードと撮影モードとで文字の表示方向を変更するよう液晶モニタ１２を制御する。
【００５３】
以上のように構成された本実施形態によるカメラ付き携帯電話１０は、図１および図２に示すように第１のユニット１を第１の位置に回動した場合には、第２のユニット２を片手で把持した場合に、操作ボタン群２１の直上に液晶モニタ１２が位置するため片手で操作ボタン群２１の操作が行いやすくなるとともに、通話も行いやすくなる。また、この状態においては、カメラ付き携帯電話１０は通信モードに切り替えられており、操作ボタン群２１は通信モードに適した機能に切り替えられているため、片手で電話番号を入力して片手でカメラ付き携帯電話１０を把持して通話を行うことができるとともに、片手で文字を入力してメールの送受信を行うことができる。
【００５４】
一方、留め具４を外して第１のユニット１をヒンジ部材３を中心として図示反時計回り方向に９０度回転させて図３に示すように第１のユニット１を第２の位置に移動した場合には、第２のユニット２を片手で把持しつつ、第１のユニット１を反対側の手で把持した方が、カメラ付き携帯電話１０を把持しやすくなる。また、この状態においては、カメラ付き携帯電話１０は撮影モードに切り替えられており、操作ボタン群２１は撮影モードに適した機能に切り替えられているため、第２のユニット２を把持した側の手で撮影の操作を行うことができる。とくに、第１のユニット１を第２の位置に移動した状態においては、両手でカメラ付き携帯電話１０を把持することとなるため、カメラ付き携帯電話１０のホールド性が向上し、撮影時の手ぶれを防止することができる。
【００５５】
また、ヒンジ部材３により第１および第２のユニット１，２を回動自在に連結しているため、第１のユニット１を第２のユニット２に対して回動させるという非常に簡易な動作により、第１のユニット１の位置を切り替えることができる。
【００５６】
また、第１のユニット１が第１の位置に移動した場合と第２の位置に移動した場合とで液晶モニタ１２における文字の表示方向を変更するようにしたため、第１の位置と第２の位置とで第１のユニット１を９０度回転しているにも拘わらず、通信モードおよび撮影モードのいずれの場合においても、第２のユニット２を片手で把持した状態で、文字を液晶モニタ１２に表示された文字を正視させることができ、これにより、カメラ付き携帯電話１０を傾けなくても液晶モニタ１２に表示される文字や記号を読むことができる。
【００５７】
また、本実施形態においては、第１のユニット１が第２の位置に移動すると、第２のユニット２の面２Ａにレリーズボタン２１Ａが現れるため、カメラ付き携帯電話１０のユーザには、外観的にもカメラ付き携帯電話１０が撮影モードに切り替わったことを認識できる。また、第２のユニット２を把持する手の人差し指にてレリーズ動作を行うことができるため、通常のカメラと同様の動作により撮影を行うことができ、これにより、カメラ付き携帯電話１０の操作性を向上することができる。
【００５８】
また、本実施形態においては、撮影モードと通信モードとで第１のユニット１の位置が異なるため、カメラ付き携帯電話１０を一見すれば、そのカメラ付き携帯電話１０のモードを直ちに認識することができ、これにより、盗み撮り等の不正な撮影を防止することができる。
【００５９】
ここで、本実施形態において、撮影モード時に着信があった場合には、着信音とともにその旨が液晶モニタ１２に表示されるため、第１のユニット１を第１の位置に回動させることにより、通話を行うことができる。
【００６０】
なお、上記実施形態においては、第１のユニット１が第１の位置に移動した場合には通信モード、第２の位置に移動した場合には撮影モードとなるようにカメラ付き携帯電話１０のモードを切り替えているが、カメラ付き携帯電話１０のユーザが、第１のユニット１の位置に応じて操作ボタン群２１を操作することにより、通信モードおよび撮影モードをマニュアル操作で切り替えるようにしてもよい。
【００６１】
また、上記実施形態においては、第１のユニット１を第１の位置から第２の位置に反時計回り方向に回動させているが、ヒンジ部材３と留め具４の位置を入れ替えて、第１のユニット１を第１の位置から第２の位置に時計回り方向に回動させるようにしてもよい。これにより、カメラ付き携帯電話１０のユーザが左利きの場合に、第１のユニット１を第２の位置に回動させることにより撮影を行いやすくすることができる。また、ヒンジ部材３を面２Ａの中央に設け、第１のユニット１を時計回り方向および反時計回り方向のいずれの方向にも回動可能としてもよい。この場合、レリーズボタン２１Ａは操作ボタン群２１のいずれかにその機能が割り当てられることとなる。また、ヒンジ部材３を面２Ａの中央位置に設け、第１のユニット１を時計回り方向および反時計回り方向のいずれか一方にのみ回動可能としてもよい。
【００６２】
また、上記実施形態においては、第２のユニット２の、第１のユニット１が第１の位置に回動した場合に、第１のユニット１と対向する面２Ａ上にレリーズボタン２１Ａを設けているが、レリーズボタン２１Ａを設けることなく、操作ボタン群２１のいずれかにレリーズボタン２１Ａの機能を割り当てるようにしてもよい。
【００６３】
また、上記実施形態においては、第２のユニット２の、第１のユニット１が第１の位置に回動した場合に、第１のユニット１と対向する面２Ａ上にレリーズボタン２１Ａを設けているが、レリーズボタン２１Ａのみならず、ストロボのオン・オフを設定するストロボボタン、ポートレート撮影、夜間撮影等のモード切替ダイヤル等、撮影のための設定を行う種々の手段を面２Ａに設けてもよい。
【００６４】
また、上記実施形態においては、カメラ付き携帯電話１０のモードを第１のユニット１の位置に応じて完全に切り替えているが、通信モード時に撮影モードの機能を利用できるようにしてもよく、撮影モード時に通信モードの機能を利用できるようにしてもよい。
【００６５】
例えば、あらかじめ撮影により取得した画像データの送信先の電子メールアドレスを登録しておき、撮影モード時において撮影を行いつつ、取得した画像データを直ちに登録した電子メールアドレスに送信するようにしてもよい。
【００６６】
また、第１のユニット１が第１の位置にある場合に、撮影を行って画像データを取得できるようにしてもよい。この場合、第１のユニット１が第１の位置にある場合と第２の位置にある場合とでは、撮影により取得される画像データにより表される画像の向きが前者は縦長、後者は横長で正視できる状態となる。このため、第１のユニット１の位置に応じて、取得される画像データのいずれかに９０度回転している旨を表すフラグを付与しておき、このフラグを参照することにより、画像データを回転して再生することが好ましい。
【００６７】
また、上記実施形態においては、第１のユニット１と第２のユニット２とをヒンジ部材３により回動自在に連結して、第１のユニット１を第１および第２の位置に移動させているが、第２のユニット２の面２Ａと第１のユニット１の面１Ａをスライドレール等により摺動自在に連結し、第１のユニット１を第２のユニット２に対してスライドさせて第１のユニット１を第１および第２の位置に移動させてもよい。
【図面の簡単な説明】
【図１】本発明の実施形態によるカメラ付き携帯電話の外観を示す正面図
【図２】本発明の実施形態によるカメラ付き携帯電話の外観を示す背面図
【図３】第１のユニットが第２の位置に回動した状態を示す図
【図４】本実施形態によるカメラ付き携帯電話の内部構成を示す概略ブロック図
【符号の説明】
１    第１のユニット
２    第２のユニット
３    ヒンジ部材
４    留め具
１０    カメラ付き携帯電話
１１    カメラ
１２    液晶モニタ
１３    スピーカ
２１    操作ボタン群
２１Ａ    レリーズボタン
２２    マイク
２３    カードインターフェース
【図１】
2004180212.tif 000003
【図２】
2004180212.tif 000004
【図３】
2004180212.tif 000005
【図４】
2004180212.tif 000006